(57)【特許請求の範囲】
【請求項１】
複数のコンタクト要素（２０）を有するコンタクトデバイスにおいて、それらのコンタクト要素（２０）のそれぞれを介して前記コンタクトデバイスの外側導体（２）の２つのコンタクト点（１７）が電気的に接続され、前記コンタクト点（１７）が構成要素のコンタクト領域と接触するのを意図されるコンタクトデバイスであって、
前記コンタクト要素（２０）は、前記コンタクト点（１７）を電気的に接続する、少なくとも部分的に弾性舌片の形態である第１の区分をそれぞれ有し、
少なくとも一区分または複数区分が共通導体によって形成されるとともに、前記コンタクト点（１７）を電気的に接続する第２の区分に特徴があり、前記第２の区分によって形成される接続経路が前記第１の区分によって形成される接続経路よりも短く、
前記コンタクト要素は、それらのコンタクト要素の第１の区分がそれらのコンタクト要素の第２の区分を環状に包囲するように配置される
コンタクトデバイス。
【請求項２】
前記コンタクト要素の第１のサブセットの第１の区分は、前記コンタクト要素の第２の区分を環状に包囲し、前記コンタクト要素の第２のサブセットの第１の区分は、前記第１のサブセットの第１の区分を環状に包囲することを特徴とする請求項１に記載のコンタクトデバイス。
【請求項３】
前記コンタクト要素の第１のサブセットの第１の区分と第２のサブセットの第１の区分とは、回転的に相互に偏位することを特徴とする請求項２に記載のコンタクトデバイス。
【請求項４】
前記共通導体（７）は、剛性の形態であり、第１の末端において、第１のコンタクト領域と接触するためのコンタクト点（１７）を形成し、弾性舌片（１１）の形態の前記コンタクト要素の第１の区分は、前記共通導体（７）に固締されることを特徴とする請求項１から３のいずれか一項に記載のコンタクトデバイス。
【請求項５】
前記コンタクト要素の第１の区分は、前記共通導体（７）の一末端を越えて突出することを特徴とする請求項１から４のいずれか一項に記載のコンタクトデバイス。
【請求項６】
前記コンタクト要素の第１の区分は、スプリングロードによって前記共通導体（７）の一区分に載り、その一区分に対して可動であることを特徴とする請求項１から５のいずれか一項に記載のコンタクトデバイス。
【請求項７】
前記共通導体（７）は、中央導体（１）を包囲し、その中央導体（１）から電気的に絶縁されることを特徴とする請求項１から６のいずれか一項に記載のコンタクトデバイス。
【請求項８】
前記中央導体（１）は、スプリングロード式コンタクトピンの形態をとることを特徴とする請求項７に記載のコンタクトデバイス。
【発明の詳細な説明】
【技術分野】
【０００１】
本発明は、対向位置に配置されたコンタクト領域の導電接続のためのコンタクト要素に関し、特に、それにより２つの構成要素間、特に２つのプリント回路基板間で可能な限り大幅に損失を回避して無線周波数信号が伝送されうるコンタクト要素に関する。本発明は、そのようなコンタクト要素を複数有するコンタクトデバイスにも関する。
【背景技術】
【０００２】
この種のコンタクト要素は、２つのプリント回路基板の平行度およびこれらの間の軸方向距離に関する所定の公差範囲内ではあっても可能な限り大幅に損失を回避して無線周波数信号が伝送されることを確実にするのを意図されている。コンタクト領域間の径方向偏位でさえも必要ならば補償されるべきである。この種のコンタクト要素によって満たされるべきさらなる要件は、低コストの製造、また、必要な場合、容易な取り付けの領域にある。また、コンタクト要素の軸方向および径方向寸法は可能な限り小さいものであるべきである。
【０００３】
２つのプリント回路基板間の接続が、プリント回路基板にしっかりと接続された２つの同軸挿入型コネクタと、２つの同軸挿入型コネクタを接続するアダプタ、所謂「バレット」とによってなされることが知られている。このアダプタは、軸方向および径方向の公差の補償を可能にし、また、平行度の公差の補償も可能にする。この目的に使用される典型的な同軸挿入型コネクタは、ＳＭＰコネクタ、Ｍｉｎｉ−ＳＭＰコネクタおよびＦＭＣコネクタである。
【０００４】
代替的に、２つのプリント回路基板間の電気的接続は、単一導体および／または複合導体構成のスプリングロード式コンタクトピンによってもなされる。
【０００５】
また、特許文献１から、それを介して２つのプリント回路基板間で無線周波数信号が伝送される同軸コンタクト要素が公知である。この場合、スプリングロード式コンタクトピンの形態の中央導体は信号導体として働く一方、中央導体を包囲する外側導体はリターン導体の機能および中央導体のシールドの機能を果たす。外側導体は長手方向において何度かスロットを設けたスリーブの形態の基体を備える。基体のスロットを設けていない端部は、その端面において、一方のプリント回路基板のコンタクト領域と接触するコンタクト点を形成する。基体では外側導体のスリーブが変位可能に案内され、それは、その一端部で、その端面において、他方のプリント回路基板のコンタクト領域と接触するコンタクト点を形成する。プリロードがかかったスプリングが基体とスリーブとの間に支持される。２つのプリント回路基板が接続されるとき、スプリングロード式コンタクトピンの形態である中央導体のヘッドと、外側導体のスリーブとが両方とも変位して、それにより自らの対応するスプリングにさらにプリロードをかけ、それにより、プリント回路基板のコンタクト領域の相対距離に関する公差が存在したとしても、確実で高信頼性のコンタクト圧力が生成されうる。基体にはスロットが設けられているため、基体にも横方向に一定の可撓性があり、それにより達成されるのを意図されていることは、２つのコンタクト領域間の非平行度の度合いが比較的大きくてもそれが補償されうることである。
【０００６】
単純な弾性舌片をコンタクト要素として用いる、またはコンタクト要素の一部として用いることも知られている。これらは、例えばスタンプ成形され打ち抜きまたはダイカット加工され曲げ加工された構成要素として容易に構築され、低コストで製造されるという利点を有する。同時に、弾性舌片は、この種のコンタクト要素の全ての主要な機能を果たす、すなわち、一方では電力または信号の伝送、また、コンタクト点における適切なコンタクト圧力を得るとともに、接続対象の構成要素の姿勢および位置に関する公差を補償するための弾性変形の機能を果たす。しかし、不利な点は、弾性舌片はその原理故に弧状または傾斜した経路に沿って延出するため、電気的接続の対象のコンタクト領域は直線経路で接続されないということである。弾性舌片の長さが比較的大きいと、比較的高いインピーダンスと連動し、またインダクタンスとまで連動し、それは特に無線周波数信号の伝送品質に悪い影響を及ぼしうる。
【先行技術文献】
【特許文献】
【０００７】
【特許文献１】米国特許第６，７７６，６６８号明細書
【発明の概要】
【発明が解決しようとする課題】
【０００８】
上述の先行技術を出発点として、本発明の基となる目的は、構成要素の電気的接続のための改良されたコンタクト要素を特定することであった。特に、この接続要素は、無線周波数信号の良好な伝送、公差を補償する特性および／または低コストの製造によって卓越したものであるべきであった。
【課題を解決するための手段】
【０００９】
この目的は、独立請求項に定義されるコンタクト要素およびコンタクトデバイスによって達成される。本発明によるコンタクト要素の有利な態様および本発明によるコンタクトデバイスの有利な態様は、それぞれの従属請求項群の主題を形成し、以下の本発明の説明から判明するであろう。
【００１０】
本発明の基となる着想は、弾性舌片の形態のコンタクト要素を、弾性舌片自体による接続経路とともに、電気的接続の対象の構成要素のコンタクト領域を可能な限り直線経路で接続する、したがって可能な限り最短の長さである付加的な接続経路を提供することによって、改良することである。
【００１１】
構成要素の導電接続のための本発明によるコンタクト要素はしたがって、前記コンタクト領域と接触するためのコンタクト点を有し、また、コンタクト点を電気的に接続する、少なくとも部分的に弾性舌片の形態である第１の区分を備える。また、コンタクト点を電気的に接続する第２の区分も設けられ、第２の区分によって形成される接続経路は第１の区分によって形成される接続経路よりも短い。
【００１２】
本発明の趣旨において「弾性舌片」が意味するのは、好ましくは主に二次元の範囲の（厚さが幅および長さの数分の一でしかなく、幅も好ましくは長さの数分の一でしかない）構成要素であって、それが別の構成要素にしっかりと接続される接続点から自由空間へと延出するものであり、前記構成要素はその長さおよび幅によって画定される領域に圧力が存在するときに弾性的に撓み、それにより機能的弾性動作を提供する。
【００１３】
本発明によるコンタクト要素のデザインは、短い故に低いインピーダンスで卓越した接続経路を形成する。本発明によるコンタクト要素のインダクタンスもまた比較的低く、それは無線周波数信号の伝送に良い影響を及ぼす。
【００１４】
これらの良好な電気的特性にも拘わらず、本発明によるコンタクト要素は、非常に単純な構成と、特にスタンプ成形され打ち抜きまたはダイカット加工され曲げ加工された構成要素として低コストで製造される能力とによって卓越することが可能である。これは、好ましい態様において、コンタクト要素の第１の区分と第２の区分とが１つの弾性舌片の形態に一体に形成される場合に特に当てはまる。したがって本発明によるコンタクト要素は単一の弾性舌片の形態をとりうるが、それは、その形状により、弾性変形の結果、主としてコンタクト点におけるコンタクト圧力および公差の補償を確実にする第１の区分を有し、他方では、より短い第２の区分は主として電力または信号を伝送する働きをする。
【００１５】
第１の区分の弾性変形によるコンタクト要素のコンタクト点の相対移動は、第２の区分によって補償されることが可能でなければならない。これは、第２の区分の適正な弾性変形の結果として起こりうる。しかし、第２の区分は、第１の区分の変形がある場合に相互に摺動するサブ区分を備えることが好ましい。この態様は、接続経路の長さがコンタクト点間の実距離に常に順応するという利点を有しうる。
【００１６】
本発明によるコンタクトデバイスは、本発明によるコンタクト要素を複数備えることに特徴がある。
【００１７】
この場合コンタクト要素は好ましくは、それらのコンタクト要素の第１の区分がそれらのコンタクト要素の第２の区分（またはその少なくとも一区分または複数区分）を環状に包囲するように配置される。こうして、接触対象の構成要素の比較的大きなコンタクト領域で良好な接触が確実になりうる。この場合、各コンタクト点も、関連する第１の区分の対応する変形の結果個々に撓みうるため、接続されるコンタクト領域が対象となる比較的大きな公差（特に平行度に関するもの）でさえも、この種のコンタクトデバイスによって補償されうる。
【００１８】
中央導体を包囲する外側導体をコンタクト要素が形成する同軸コンタクトデバイスとしてコンタクトデバイスが設計される場合、コンタクト要素の第１の区分を（好ましくは円形の）環状の形態になるように配置することによって、中央導体のためのシールドを形成しうる。
【００１９】
また、コンタクト要素の第１の区分によって実行されるシールド動作を特にさらに改良するために、第１の区分が第２の区分の周りに二重環として配置され、それにより第１の区分が一定程度に二重シールドを形成しうる。したがって、コンタクト要素の第１のサブセットの第１の区分がコンタクト要素の第２の区分を環状に包囲し、コンタクト要素の第２のサブセットの第１の区分が第１のサブセットの第１の区分を環状に包囲することとなる。
【００２０】
この場合、一方の環の第１の区分（第１の区分はさらに好ましくはそれぞれ均一間隔で配置される）は、他方の環の第１の区分から回転的に（好ましくは前記間隔の半分の間隔で）偏位しうるが、（第２の区分から見て）一方の環の第１の区分間に形成される隙間はこうして他方の環の第１の区分によって（少なくとも部分的に）隠される。
【００２１】
本発明によるコンタクトデバイスの一態様において、コンタクト要素の第２の区分の少なくとも一区分または複数区分は共通導体によって形成されうる。これは、製造および取り付けに関して特に利点を有しうる。
【００２２】
さらに、この場合、共通導体は、剛性の形態であり、（長軸に沿った）第１の末端において、第１のコンタクト領域と接触するためのコンタクト点を形成し、弾性舌片の形態のコンタクト要素の第２の区分は、共通導体に固締されうる。そして弾性舌片は好ましくは（少なくとも）１つの第２のコンタクト領域と接触するためのコンタクト点を形成する。
【００２３】
またこの場合、コンタクト要素の第１の区分は共通導体の（長軸に沿った）第２の末端を越えて突出しうるが、その場合、さらに、好ましくはコンタクト点は弾性舌片の突出区分によって形成される。弾性舌片のコンタクト点によって接触がなされるコンタクト面が平面にある場合、このことは、弾性舌片に適正な変形を伴う移動がもたらされることを確実にし、また、長軸に沿った共通導体の対応する第２の末端がコンタクト領域と接触するのを阻止されることを確実にする。
【００２４】
本発明によるコンタクトデバイスの同様に好ましい態様において、弾性舌片は、スプリングロードによって共通導体の（少なくとも）一区分に載り、その一区分に対して可動でありうる。
【００２５】
また、弾性舌片の一態様において、弾性舌片の自由端は共通導体の第１の末端の方向（したがって、共通導体の弾性舌片が固締されるほうの末端の方向）を向き、弾性舌片の中央区分はコンタクト点を形成しうる。さらに、弾性舌片は、好ましくは共通導体に弾性舌片の自由端の領域で載りうる。
【００２６】
弾性舌片の別の態様において、弾性舌片の自由端は第２の末端の方向を向き、関連するコンタクト領域と接触するコンタクト点は自由端の領域に形成されうる。さらに弾性舌片の中央区分は共通導体に載りうる。
【００２７】
弾性舌片のこれらの態様両方が本発明によるコンタクトデバイスで組み合わされる可能性も勿論存在する。
【００２８】
本発明によるコンタクト要素または本発明によるコンタクトデバイスの製造を簡略化するために、コンタクト要素の弾性舌片は２つの区分を備えうるが、それらは横方向に偏位し、長軸に沿った一区分で重なり合ってそこで（好ましくは一体に）接続される。このことは、弾性舌片を形成する弾性舌片ケージが、スタンプ成形され打ち抜きまたはダイカット加工され曲げ加工された構成要素として製造される場合に曲げ工具の使用を特に簡略化する。
【００２９】
本発明によるコンタクトデバイスは好ましくは、中央導体と、中央導体を包囲する外側導体とを有する同軸コンタクトデバイスの形態をとる。この場合特に好ましくは、外側導体が本発明にしたがって形成され、さらに好ましくは、中央導体がスプリングロード式コンタクトピンの形態をとりうる。
【００３０】
本発明によるコンタクト要素および本発明によるコンタクトデバイスは、構成要素間、特にプリント回路基板間で無線周波数信号を伝送するために有利に使用されうるものであり、同軸コンタクトデバイスとしての態様において、好ましくは中央導体は信号導体として使用され、外側導体はリターン導体および／またはシールドとして使用される。
【００３１】
本発明を、図面に示す実施形態を参照して以下で詳細に説明する。
【図面の簡単な説明】
【００３２】
【図１】本発明によるコンタクト要素の一実施形態のロードされていない状態の斜視図である。
【図２】図１に示されるコンタクト要素の正面図である。
【図３】図１および２に示されるコンタクト要素の側面図である。
【図４】図１から３に示されるコンタクト要素のロードされた状態の正面図である。
【図５】図４に示されるコンタクト要素の側面図である。
【図６】本発明によるコンタクトデバイスの第２の実施形態の斜視図である。
【図７】図６に示されるコンタクトデバイスの縦断面図である。
【図８】本発明によるコンタクトデバイスの第３の実施形態の斜視図である。
【図９】図８に示されるコンタクトデバイスの縦断面図である。
【図１０】本発明によるコンタクトデバイスの第４の実施形態の斜視図である。
【図１１】図１０に示されるコンタクトデバイスの縦断面図である。
【図１２】本発明によるコンタクトデバイスの第５の実施形態の部分断面図である。
【図１３】図１２に示されるコンタクトデバイスの平面図である。
【発明を実施するための形態】
【００３３】
図１から５に示されるコンタクト要素は、導電材料製（特に金属製）の弾性舌片１１の形態の一体型のものである。コンタクト要素は、１つ以上のコンタクト要素を介して電気的に接続されるべき２つの構成要素、特に２つのプリント回路基板のコンタクト領域と接触することを意図された２つのコンタクト点１７を形成する。コンタクト点１７の一方（図１から５の下部にあるもの）は比較的面積が広い。このコンタクト点１７を介してコンタクト要素は構成要素の関連するコンタクト領域にしっかりと接続され、特に半田付けまたは蝋付けされることを意図されている。点または線に近い形態である他方のコンタクト点１７は対照的に、構成要素の関連するコンタクト領域に自由接触する、すなわち、コンタクト要素の弾性変形の結果コンタクト圧力がかかった場合にのみ接触することを意図されている。
【００３４】
２つのコンタクト点１７を電気的に接続するコンタクト要素の第１の区分は、コンタクト圧力を生成することを主として担う。特に図５からわかるように、コンタクト点の相互に接近する方向への移動は、この第１の区分の弾性変形につながる。
【００３５】
第２の区分は２つのサブ区分を備え、サブ区分それぞれが弾性舌片１１の自由端の１つを備える。第１の区分の最初の比較的小規模な変形が発生すると、２つのサブ区分は接触し、したがって同様に２つのコンタクト点１７を電気的に接続する。これが、コンタクト要素を介して伝送される無線周波数信号の主要経路を形成し、前記主要経路は第１の区分によって形成される経路よりもかなり短い。第１の区分がさらに変形すると、２つのサブ区分は相互に摺動する。２つのサブ区分が摺動すると接続経路の長さが減少する。
【００３６】
図６から１１に示されるコンタクトデバイスはそれぞれ中央導体１と、外側導体２と、中央導体１と外側導体２との間に配置された絶縁部材３とを備える。
【００３７】
中央導体１はそれぞれにおいてスプリングロード式コンタクトピンの形態をとる、すなわち、中央導体１は導電性のスリーブ４と、球状のコンタクト面を有する導電性のヘッド５とを備え、ヘッド５の一部はスリーブ４内に可動に案内される。スリーブ４の内部には、ヘッド５とスリーブ４の底部との間に支持されるスプリング６が配置される。中央導体１は絶縁部材３の収容開口内に不動に取り付けられる。中央導体１はこの場合特に物理的結合、例えば接着剤接合により絶縁体３に接続されうる。ヘッド５から遠隔なスリーブ４の底端はコンタクト面を形成し、コンタクト面は下方のプリント回路基板（図示せず）のコンタクト領域と接触するコンタクト点１７として働く。
【００３８】
外側導体２は原則として本発明による複数のコンタクト要素を備え、また、絶縁体３の周面を全体的に包囲するとともに絶縁体３の端面を部分的に包囲する１つの共通導体７を備える。結果として、共通導体７もまた絶縁部材３に不動に接続される。また、このような相互係合による接続の可能性とともに、摩擦または物理的結合による接続が代替的または付加的に設けられうる。
【００３９】
共通導体７は基部８と、（特に物理的結合、例えば半田付け、蝋付けまたは溶接により）基部８にしっかりと接続されたスリーブ部９とを備える。
【００４０】
絶縁体３から遠隔な側において、基部８は、下方のプリント回路基板のコンタクト領域と接触するコンタクト点１７として働くコンタクト面を形成する。
【００４１】
基部８に接続されるスリーブ部９の末端は、周囲突部１０を備え、周囲突部１０には、導電性の弾性舌片ケージが（好ましくは物理的結合、特に半田付けまたは蝋付けにより）固締される。弾性舌片ケージは複数の（この場合実際は８つの）弾性舌片１１を形成し、弾性舌片１１は、スリーブ部９に対して径方向に向けられ、それを介して弾性舌片ケージが共通導体７に接続される環状区分１２から始まって、前記環状区分１２の周囲に均一間隔で分布し、コンタクトデバイスの長手方向に弧状の形態に延出する。
【００４２】
図６から１１に示される本発明によるコンタクトデバイスの３つの実施形態は、それらの弾性舌片１１の形状と、弾性舌片１１によって形成されるコンタクト点１７の位置とが異なる。
【００４３】
図６および７に示される実施形態において、弾性舌片１１はそれぞれ、環状区分１２の外縁から始まってほぼ半円形の弧で延出し、それが約９０°の角度をなす部分に結合する。これに続く、弾性舌片１１が既に共通導体７を越えて突出する弾性舌片１１の区分において、弾性舌片１１はほぼ平行に延出する。最終的に弾性舌片１１の自由端は、外側に曲げられた形態となる。これらの曲げられた末端がコンタクト点１７を形成し、それにより外側導体２は対象のプリント回路基板（図示せず）のコンタクト領域と接触でき、そのコンタクト領域は平面であり、コンタクトデバイスの長軸に対して実質的に垂直に揃えられている。
【００４４】
互いに平行に延出する弾性舌片１１の区分において、弾性舌片１１は、共通導体７のスリーブ部９から（半円形断面の）周囲突部１３に載る。このように弾性舌片１１は、弾性舌片１１自体によりかかるスプリングロードによって載る。
【００４５】
図８および９に示される実施形態において、弾性舌片１１は、環状区分１２の外縁から始まって、先ず９０°の弧で延出し、そして弾性舌片１１がほぼ平行に延出する区分に結合する。この区分は共通導体７の上端とほぼ同じ高さのところで１８０°の弧に結合する。外側導体２がそれにより対象のプリント回路基板のコンタクト領域と接触できるコンタクト点１７は、１８０°の弧を形成する区分の略中心に配置される。弾性舌片１１はスプリングロードによって共通導体７に載り、これは弾性舌片１１の自由端の領域またはその付近で発生する。
【００４６】
図１０および１１に示される実施形態において、弾性舌片は図８および９に示される実施形態の弾性舌片と同様に延出するが、この場合弾性舌片がほぼ平行に揃う中央区分は設けられない。代わりに、弾性舌片１１は、環状区分１２の外縁から始まって、約２７０°にわたり延出する概ね連続的な曲線の弧で延出する。
【００４７】
図１０および１１に示される実施形態の弾性舌片１１は、二次元形状においても図８および９に示される実施形態の弾性舌片１１とは異なる。図８および９に示される実施形態の弾性舌片１１はそれぞれ実質的に一定な幅の単一の曲げられたストリップによって形成されるが、図１０および１１に示されるコンタクトデバイスの弾性舌片１１は、２つの曲げられたサブストリップが横方向に偏位するように配置された二次元形状をしており、また、これらのサブストリップは、それらが一体に接続されるそれらの長軸に沿った区分において重なり合う。この実施形態は、横方向偏位それぞれが、サブストリップの一方に関して作業をする曲げ工具を導入する空間を作り出すため、スタンプ成形され打ち抜きまたはダイカット加工され曲げ加工された構成要素としての弾性舌片ケージの製造を簡略化しうる。
【００４８】
図１２および１３に示されるコンタクトデバイスは、それらの構成に関しては図８および９に示されるコンタクトデバイスの弾性舌片１１に実質的に相当する弾性舌片１１を有する。このコンタクトデバイスと、図６から１１に示されるコンタクトデバイスとの大きな差異は、接続導体１４への共通導体７の接続であり、それはナット１５と外側ねじ山１６とを形成する。この外側ねじ山１６により、コンタクトデバイスはハウジング（図示せず）の開口に固定されうる。中央導体１のスリーブ４は、接続導体１４の自由端に適合してそれを越えて突出するようにのばされた形態である。
【００４９】
図６から１３に示されるコンタクトデバイスにおいて、弾性舌片１１はそれぞれ本発明によるコンタクト要素の第１の区分の一部を形成する。これらにより、コンタクトデバイスの外側導体２の２つのコンタクト点１７は電気的に接続され、その主要な機能は、上方のコンタクト点においてコンタクト圧力を生成すること、また、接続対象の構成要素のコンタクト領域の姿勢および整列に関する公差を補償することである。下方のコンタクト点１７は基部８の下側によって（または図１２および１３に示されるコンタクトデバイスの場合は接続導体１４によって）形成されるため、基部８（または場合によっては接続導体１４）、スリーブ部９の一部および環状区分１２も同様にコンタクト要素それぞれの第１の区分の一部である。主に電気的接続をなすために働く個々のコンタクト要素の第２の区分は、共通導体７によって、また、スリーブ部９からの周囲突部１３と弾性舌片１１のそれぞれのコンタクト点１７との間に延在する弾性舌片１１のそれぞれの一部によって形成される。
【００５０】
図６から１３に示される本発明によるコンタクトデバイスの大きな利点は、外側導体２を形成するコンタクト要素の第２の区分によって形成される接続経路が、中央導体１を通る信号経路と常にほぼ正確に同じ長さであり、それにより、適切に等しい信号経路を得ることが可能であるということである。
【００５１】
図６から１３に示される１つ以上のコンタクトデバイスによってその間で導電接続がなされる２つのプリント回路基板間の距離は好ましくは、その間に配置された（複数の）コンタクトデバイスの中央導体１と外側導体２との両方が圧縮されるために十分なほど大きくなるように選択される。したがって、中央導体１のヘッド５は先ず、スプリング６によって及ぼされる力に抗してスリーブ４の底部の方向に短い距離変位し、スプリング６はそれによってより多くプリロードされ、一方、外側導体２の弾性舌片１１はコンタクトデバイスの長軸によって画定される方向に圧縮され、それはそれらの曲率半径、寧ろ複数の曲率半径を低減し、したがって弾性舌片１１のプリロードを増加させることを包含する。プリント回路基板間でのコンタクトデバイスの意図する圧縮は、好ましくは、対象のプリント回路基板が中央導体１のスリーブ４の上縁または外側導体２のスリーブ部９の上縁に接触するほど大きくならないように選択される。
【００５２】
全体的には、このようにして、コンタクトデバイスの中央導体１と外側導体２との両方が、（より大きいまたはより小さい）両方向への基板間距離の所望のサイズからの偏差が補償されうるような「弾性的な移動」をすることとなる。そのような偏差は特に、公差によるものである可能性があり、その場合位置に関する公差が補償されうるのみならず、姿勢に関する公差、すなわち特に２つのプリント回路基板間の意図する平行度および所与のコンタクトデバイスに関連してそれに配置されたコンタクト領域間の意図する平行度からの偏差も補償されうる。複数の個別に変形可能なコンタクト要素がある、本発明によるコンタクトデバイスの外側導体２のデザインにより、これらの姿勢に関する公差が比較的大きい可能性もある。中央導体１の球状のヘッド５がなす点接触は同様に、上述のような偏差には影響されない。
【００５３】
弾性舌片１１が変形すると摺動が発生し、したがって外側導体２のスリーブ部９と弾性舌片１１との間での両者が載り合う点における相対移動が発生する。図６および７に示される実施形態において、両者が載り合う点は常に外側導体７のスリーブ部９からの周囲突部１３にある。弾性舌片１１の変形に依存して、前記周囲突部１３は弾性舌片１１の種々の点と接触し、載り合いは弾性舌片１１が平行に延出する区分内でのみ発生する。図８から１１に示される実施形態において、対照的に載り合う点は常に弾性舌片１１のアール状の末端区分によって形成され、それは弾性舌片１１の変形に依存して外側導体２のスリーブ部９の外側に種々の点で接触する。
【００５４】
また、図８から１１に示される実施形態において、共通導体７のスリーブ部９の周囲突部１３は、弾性舌片１１の拡張部の接合点を形成する。弾性舌片１１の径方向の弾性的なプリロードが外側導体２のスリーブ部９に対して及ぼす力の成分と相まって、弾性舌片１１はロードされていない状態、すなわち、弾性舌片１１が２つの適切に離間されたプリント回路基板間に配置されていない場合でさえも、プリロードによって保持されることが可能となる。
【図１】
0006298066.tif 000002
【図２】
0006298066.tif 000003
【図３】
0006298066.tif 000004
【図４】
0006298066.tif 000005
【図５】
0006298066.tif 000006
【図６】
0006298066.tif 000007
【図７】
0006298066.tif 000008
【図８】
0006298066.tif 000009
【図９】
0006298066.tif 000010
【図１０】
0006298066.tif 000011
【図１１】
0006298066.tif 000012
【図１２】
0006298066.tif 000013
【図１３】
0006298066.tif 000014